(57)【要約】【課題】板ガラス体本体の二次シール材の下面に水が滞留するのを防止することができる板ガラス支持枠用セッティングブロックを提供する。【解決手段】セッティングブロック２３は、複層ガラス体用サッシ本体２１のチャンネル底部２２の上面に載置される支持層２４と、支持層２４の上面に接着された吸湿層２５と、吸湿層２５の上面に接着され、複層ガラス保持部材３０の底部３４の下面とその上面で接するシート層２６から成る。支持層２４は、複層ガラス本体１０を安定して支持することができる。吸湿層２５は、水が飽和状態になるまでは本層内に水を吸湿し、飽和状態後は、本層内から水を外部に排出する。シート層２６は、例えば軽石等の多孔質部材から成り、板ガラス保持部材３０の外側方向へ水を透過する。【選択図】      図３
2004308281.tif 000002
【特許請求の範囲】
【請求項１】
板ガラス体の板ガラス支持枠のチャンネル底部に載置され、板ガラス体本体の外周縁を当該外周縁に嵌め込まれた板ガラス保持部材を介して支持する板ガラス支持枠用セッティングブロックにおいて、
水を吸湿する吸湿層を備えることを特徴とする板ガラス支持枠用セッティングブロック。
【請求項２】
前記吸湿層を支持する支持層をさらに備えることを特徴とする請求項１記載の板ガラス支持枠用セッティングブロック。
【請求項３】
板ガラス体の板ガラス支持枠のチャンネル底部に載置され、板ガラス体本体の外周縁を当該外周縁に嵌め込まれた板ガラス保持部材を介して支持する板ガラス支持枠用セッティングブロックにおいて、
水を透過する多孔質から成るシート層を備えることを特徴とする板ガラス支持枠用セッティングブロック。
【請求項４】
板ガラス体の板ガラス支持枠のチャンネル底部に載置され、板ガラス体本体の外周縁を当該外周縁に嵌め込まれた板ガラス保持部材を介して支持する板ガラス支持枠用セッティングブロックにおいて、
水を吸湿する吸湿層と、前記吸湿層の上に形成されたシート層とを備えることを特徴とする板ガラス支持枠用セッティングブロック。
【請求項５】
前記シート層は、前記板ガラス保持部材の外側方向への水の透過は許容するが、前記板ガラス保持部材の内側方向への水の通過を禁止する一方向性シート層であることを特徴とする請求項３又は４記載の板ガラス支持枠用セッティングブロック。
【請求項６】
前記シート層を支持する支持層をさらに備えることを特徴とする請求項３乃至５のいずれか１項に記載の板ガラス支持枠用セッティングブロック。
【発明の詳細な説明】
【０００１】
【発明の属する技術分野】
本発明は、板ガラス支持枠用セッティングブロックに関する。
【０００２】
【従来の技術】
図８に示すように、従来の板ガラス支持枠用セッティングブロックを備える板ガラス体としての複合ガラス体１００は、複層ガラス本体１１０と、複層ガラス本体１１０の外周縁部に嵌め込まれた従来のガラス保持部材としての複層ガラス保持部材１３０と、複層ガラス保持部材１３０を介して複層ガラス本体１１０を保持する複層ガラス体用サッシ１２０とから成る（例えば、特許文献１〜３参照）。
【０００３】
複層ガラス保持部材１３０は、複層ガラス本体１１０の外周縁部を収容し得る溝１３３、及び複層ガラス体用サッシ１２０のチャンネル内に嵌め込まれ得る外形を有する断面略コの字型の硬質塩化ビニル製硬質部材１３１と、硬質部材１３１の両側部上縁に各下縁部で夫々固定され、溝１３３に挿入された複層ガラス本体１１０をその各側部において挟持する塩化ビニル樹脂製又はエラストマー系樹脂製の一対の軟質部材１３２とから成る。
【０００４】
断面略コの字型の硬質部材１３１は、その底部１３４に長手方向に沿って等間隔に、複層ガラス本体１１０と複層ガラス保持部材１３０の間から浸入した水を逃がすための複数の水抜き孔１３５を備える。
【０００５】
軟質部材１３２は、その内側面から下方に向かって斜めに突出する塩化ビニル樹脂製又はエラストマー系樹脂製でショア硬度６０〜７５度程度の一対の挟持片部１３６と、その上縁に、複層ガラス本体１１０の各表面との間を密閉すべく内側に突出した一対のシール片部１３７と、複層ガラス体用サッシ１２０のチャンネルの両縁部に対して夫々係止自在に外側に突出した一対の弾性張出係止部１３８とを備える。これらの挟持部１３６は、その先端部各々の間隔寸法が複層ガラス本体１１０の厚さ寸法より小さく設定されており、複層ガラス本体１１０が溝１３３に挿入される際に、複層ガラス本体１１０によって底部１３４方向に弾性的に撓んで、この撓みにより発生する弾性力によって複層ガラス本体１１０を挟持する。
【０００６】
複層ガラス本体１１０は、間に中空層１１４を画成するようにその周縁部に配されたスペーサ１１３を介して対向する一対の板ガラス１１１，１１２を備え、各板ガラス１１１，１１２とスペーサ１１３とは、一次シール材１１５により互いに接着されている。また、複層ガラス本体１１０の外周縁部で、板ガラス１１１，１１２、及びスペーサ１１３により形成された空間には、二次シール材１１６が充填されている。一次シール材１１５は、特に水分を透過し難くするためにブチルゴム製で、二次シール材１１６は、接着力の高いシリコン系またはポリサルファイド系のシール材で構成されている。スペーサ１１３は、横断面が略矩形の角筒部材１１３ａと、その角筒部材１１３ａの内空部に充填された乾燥材１１３ｂとから成り、角筒部材１１３ａには、中空層１１４に面する部分において、長手方向に沿って等間隔に複数の貫通孔１１３ｃが形成されている。乾燥剤１１３ｂは、中空層１１４内の水分を貫通口１１３ｃを介して吸収し、中空層１１４内での結露を防止する。
【０００７】
複層ガラス体用サッシ１２０は、複層ガラス保持部材１３０が外周縁部に嵌め込まれた複層ガラス本体１１０を収容するチャンネル状の複層ガラス体用サッシ本体１２１と、複層ガラス体用サッシ本体１２１のチャンネルの底部であるチャンネル底部１２２上に載置され、複層ガラス本体１１０を、その外周縁を収容する複層ガラス保持部材１３０を介して支持するセッティングブロック１２３とから成る。
【０００８】
複層ガラス本体１１０は、その外周縁部が複層ガラス保持部材１３０の溝１３３内に嵌め込まれて、複層ガラス保持部材１３０によりその底部１３４上で支持され、且つ挟持片部１３６により外周縁部が挟持されて、この複層ガラス保持部材１３０を介して複層ガラス体用サッシ１２０により保持される。
【０００９】
【特許文献１】
特開２００１−１８２４４８号公報
【特許文献２】
特開２００１−１８２４４９号公報
【特許文献３】
特開２００１−１６４８４２１号公報
【００１０】
【発明が解決しようとする課題】
しかしながら、複層ガラス本体１１０は、複層ガラス体用サッシ１２０のチャンネル内において、その外周縁を収容する複層ガラス保持部材１３０を介して支持するセッティングブロック１２３の上に支持されているので、複層ガラス保持部材１３０の底部１３４がセッティングブロック１２３の上面に複層ガラス本体１１０の重力によって圧接されて、複層ガラス本体１１０と複層ガラス保持部材１３０の間から浸入して水抜き孔１３５に達した水の排水性が悪くなり、二次シール材１１６の下面近傍に水が滞留し、この水により二次シール材１１６が劣化するという問題があった。
【００１１】
本発明の目的は、板ガラス体本体の二次シール材の下面に水が滞留するのを防止することができる板ガラス支持枠用セッティングブロックを提供することにある。
【００１２】
【課題を解決するための手段】
上記目的を達成するために、請求項１記載の板ガラス支持枠用セッティングブロックは、板ガラス体の板ガラス支持枠のチャンネル底部に載置され、板ガラス体本体の外周縁を当該外周縁に嵌め込まれた板ガラス保持部材を介して支持する板ガラス支持枠用セッティングブロックにおいて、水を吸湿する吸湿層を備えることを特徴とする。
【００１３】
請求項１記載のセッティングブロックによれば、水を吸湿する吸湿層を備えるので、複層ガラス保持部材から排水された水が吸湿層が飽和状態になるまで吸湿層内に吸湿されることにより、板ガラス保持部材の外側方向への水の排水性を向上させ、その結果、板ガラス体本体の二次シール材の下面近傍に水の滞留を防止することができ、もって二次シール材の劣化を防止することができる。
【００１４】
請求項２記載の板ガラス支持枠用セッティングブロックは、請求項１記載の板ガラス支持枠用セッティングブロックにおいて、前記吸湿層を支持する支持層をさらに備えることを特徴とする。
【００１５】
請求項２記載の板ガラス支持枠用セッティングブロックによれば、吸湿層を支持する支持層をさらに備えるので、複層ガラス本体を安定して支持することができる。
【００１６】
上記目的を達成するために、請求項３記載の板ガラス支持枠用セッティングブロックは、板ガラス体の板ガラス支持枠のチャンネル底部に載置され、板ガラス体本体の外周縁を当該外周縁に嵌め込まれた板ガラス保持部材を介して支持する板ガラス支持枠用セッティングブロックにおいて、水を透過する多孔質から成るシート層を備えることを特徴とする。
【００１７】
請求項３記載の板ガラス支持枠用セッティングブロックによれば、水を透過する多孔質から成るシート層を備えるので、吸湿層への水の排水性を向上させ、板ガラス保持部材の外側方向への水の排水性を向上させて、その結果、板ガラス体本体の二次シール材の下面近傍に水の滞留を防止することができ、もって二次シール材の劣化を防止することができる。
【００１８】
上記目的を達成するために、請求項４記載の板ガラス支持枠用セッティングブロックは、板ガラス体の板ガラス支持枠のチャンネル底部に載置され、板ガラス体本体の外周縁を当該外周縁に嵌め込まれた板ガラス保持部材を介して支持する板ガラス支持枠用セッティングブロックにおいて、水を吸湿する吸湿層と、前記吸湿層の上に形成されたシート層とを備えることを特徴とする。
【００１９】
請求項４記載の板ガラス支持枠用セッティングブロックによれば、水を吸湿する吸湿層と、前記吸湿層の上に形成されたシート層とを備えるので、吸湿層への水の排水性を向上させることができ、さらに、この排水された水は吸湿層が飽和状態になるまで吸湿層内に吸湿されるので、シート層からの水の排水を促進し、その結果、二次シール材の下面近傍に水が滞留するのを防止することができ、もって二次シール材の劣化を防止することができる。
【００２０】
請求項５記載の板ガラス支持枠用セッティングブロックは、請求項３又は４記載の板ガラス支持枠用セッティングブロックにおいて、前記シート層は、前記板ガラス保持部材の外側方向への水の透過は許容するが、前記板ガラス保持部材の内側方向への水の通過を禁止する一方向性シート層であることを特徴とする。
【００２１】
請求項５記載のセッティングブロックによれば、一方向性シート層が板ガラス保持部材の外側方向への水の通過は許容するが、板ガラス保持部材の内側方向への水の通過を禁止するので、板ガラス保持部材の外側方向への水の排水性を向上させて、その結果、板ガラス体本体の二次シール材の下面近傍に水の滞留を防止することができ、もって二次シール材の劣化を防止することができる。
【００２２】
請求項６記載の板ガラス支持枠用セッティングブロックは、請求項３乃至５のいずれか１項に記載の板ガラス支持枠用セッティングブロックにおいて、前記シート層を支持する支持層をさらに備えることを特徴とする。
【００２３】
請求項６記載のセッティングブロックによれば、シート層を支持する支持層をさらに備えるので、複層ガラス本体を安定して支持することができる。
【００２４】
【発明の実施の形態】
以下、本発明の実施の形態に係る板ガラス支持枠用セッティングブロックを図面を参照しながら説明する。
【００２５】
図１は、本発明の実施の形態に係る板ガラス支持枠用セッティングブロックを備える板ガラス体の断面図である。
【００２６】
図１に示すように、複層ガラス体１（板ガラス体）は、複層ガラス本体１０（板ガラス体本体）と、複層ガラス本体１０の外周縁部に嵌め込まれた複層ガラス保持部材３０（板ガラス保持部材）と、板ガラス支持枠用セッティングブロック２３及び複層ガラス保持部材３０を介して複層ガラス本体１０を保持する複層ガラス体用サッシ２０（板ガラス体用サッシ）とから成る。
【００２７】
図２は、図１の板ガラス支持枠用セッティングブロック２３を備える板ガラス体の部分断面図である。
【００２８】
図２において、複層ガラス体用サッシ２０によって保持される複層ガラス本体１０は、間に中空層１４を形成するようにその周縁部に配されたスペーサ１３を介して対向する一対の板ガラス１１，１２を備え、各板ガラス１１，１２とスペーサ１３とは、一次シール材１５により互いに接着されている。また、複層ガラス本体１０の外周縁部で、板ガラス１１，１２、及びスペーサ１３により形成された空間には、二次シール材１６が充填されている。一次シール材１５は、特に水分を透過し難くするためにブチルゴム製で、二次シール材１６は、接着力の高いシリコン系またはポリサルファイド系のシール材で構成されている。スペーサ１３は、横断面が略矩形の角筒部材１３ａと、その角筒部材１３ａの内空部に充填された乾燥材１３ｂとから成り、角筒部材１３ａには、中空層１４に面する部分において、長手方向に沿って等間隔に複数の貫通孔１３ｃが形成されている。乾燥剤１３ｂは、中空層１４内の水分を貫通口１３ｃを介して吸収し、中空層１４内での結露を防止する。
【００２９】
複層ガラス保持部材３０は、複層ガラス本体１０の外周縁部を収容し得る溝３３、及び複層ガラス体用サッシ２０のチャンネル内に嵌め込まれ得る外形を有する断面略コの字形の硬質塩化ビニル樹脂製の長尺状硬質部材３１と、硬質部材３１の両側部上縁に各下縁部で夫々固定され、溝３３に挿入された複層ガラス本体１０をその各側部において挟持する塩化ビニル樹脂製又はエラストマー系樹脂製の一対の軟質部材３２とから成る。
【００３０】
断面略コの字型の硬質部材３１は、その底部３４に長手方向に沿って等間隔に、複層ガラス本体１０と複層ガラス保持部材３０の間から浸入した水を逃がすための複数の水抜き孔３５を備える。
【００３１】
軟質部材３２は、その内側面から下方に向かって斜めに突出する塩化ビニル樹脂製又はエラストマー系樹脂製でショア硬度６０〜７５度程度の一対の挟持片部３６と、その上縁に、複層ガラス本体１０の各表面との間を密閉すべく内側に突出した一対のシール片部３７と、複層ガラス体用サッシ２０のチャンネルの両縁部に対して夫々係止自在に外側に突出した一対の弾性張出係止部３８とを備える。これらの挟持部３６は、その先端部各々の間隔寸法が複層ガラス本体１０の厚さ寸法より小さく設定されており、複層ガラス本体１０が溝３３に挿入される際に、複層ガラス本体１０によって底部３４方向に弾性的に撓んで、この撓みにより発生する弾性力によって複層ガラス本体１０を挟持する。
【００３２】
複層ガラス体用サッシ２０は、複層ガラス保持部材３０が外周縁部に嵌め込まれた複層ガラス本体１０を収容するアルミニウム製のチャンネル状複層ガラス体用サッシ本体２１と、複層ガラス体用サッシ本体２１のチャンネル底部２２上に載置され、複層ガラス保持部材３０を介して複層ガラス本体１０を支持するセッティングブロック２３とから成る（図３）。
【００３３】
セッティングブロック２３は、複層ガラス体用サッシ本体２１のチャンネル底部２２の上面に載置される支持層２４と、支持層２４の上面に接着された吸湿層２５と、吸湿層２５の上面に接着され、複層ガラス保持部材３０の底部３４（図２）の下面とその上面で接するシート層２６から成る。
【００３４】
支持層２４は、例えば、ネオプレンゴム、クロロプレンゴム、塩化ビニル、ポリエチレン等の樹脂、又は金属から成り、これにより、複層ガラス本体１１０を安定して支持することができる。
【００３５】
吸湿層２５は、例えば、デンプン系、セルロース系、ポリアクリル酸塩系、ポリビニルアルコール系、ポリアクリルアミド系、ポリオキシエチレン系等の高吸水性樹脂を適量配合した、ネオプレンゴム、クロロプレンゴム、塩化ビニル、ポリエチレン、ＥＶＡ樹脂、ブチルゴム、天然ゴム、塩素化ポリエチレン、ポリウレタン樹脂等の樹脂から成り、水が飽和状態になるまでは本層内に水を吸湿し、飽和状態後は、本層内から水を外部に排出する。また、吸湿層２５のショアＡ硬度は、９０°程度である。
【００３６】
シート層２６は、例えば、軽石、樹脂製ネット、金属製ネット等の多孔質部材から成り、板ガラス保持部材の外側方向へ水を透過する。支持層２４、吸湿層２５、及びシート層２６の厚み合計は、例えば、３〜１５ｍｍである。
【００３７】
チャンネル底部２２及び支持層２４間、支持層２４及び吸湿層２５間、吸湿層２５及びシート層２６間は両面テープによって夫々接着されている。
【００３８】
複層ガラス本体１０の表面を伝って流れた水は、複層ガラス本体１０の板ガラス１１の外側表面と内側に突出したシール片部３７とのわずかな隙間を伝って複層ガラス保持部材３０の溝３３に浸入する。溝３３に侵入した水は、複層ガラス保持部材３０の底部の水抜き孔３５を介して、複層ガラス保持部材３０の外部へ排水される。
【００３９】
この排水された水は、水抜き孔３５の下部に位置するシート層２６を通過して吸湿層２５へ排水され、吸湿層２５の上面から吸湿層２５の内部に侵入して吸湿層２５が飽和状態になるまで本層内に吸湿され、吸湿層２５の飽和状態後は、吸湿層２５の外部に排出される。また、吸湿層２５の上面にシート層２６が載置されているので、吸湿層２５の外部に排出された水が複層ガラス保持部材３０の内部に逆流するのを防止することができる。
【００４０】
本発明の実施の形態によれば、複層ガラス保持部材３０から吸湿層２５への水の排水は、シート層２６を介して行われるので、吸湿層２５への水の排水性を向上させることができ、さらに、この排水された水は吸湿層２５が飽和状態になるまで吸湿層２５内に吸湿されるので、シート層２６からの水の排水を促進し、その結果、二次シール材１６の下面近傍に水が滞留するのを防止することができ、もって二次シール材１６の劣化を防止することができる。
【００４１】
上記本発明の実施の形態において、複層ガラス本体１０は、合わせガラスや、三枚以上の板ガラスを備えて構成してあるものであってもよく、また、複層ガラス本体１０を構成する板ガラスの全部又は一部が、熱線吸収、紫外線吸収や熱線反射（遮熱用を含む）等の機能を備えたものや、網入りや強化処理等を施したもので構成してあってもよい。
【００４２】
図１における複層ガラス体用サッシ２０は、上記形状に限るものではなく、また、アルミニウム製のものに限定されるものではなく、例えば、鉄製や、ステンレス鋼製、またはアルミニウムと樹脂の複合構造であってもよい。
【００４３】
図３のセッティングブロック２３は、上記材質に限るものではなく、例えば、吸湿層２５は硬度が高い材質のものが望ましく、また、支持層２４はゴム質等の複層ガラスを支えることができる材質のものであればよい。
【００４４】
さらに、セッティングブロック２３は上記構造に限るものではなく、吸湿層２５又はシート層２６が複層ガラス本体１０を支持できれば、吸湿層２５の１層構造、シート層２６の１層構造、吸湿層２５及びシート層２６の２層構造のいずれかで支持層２４がなくてもよい。
【００４５】
本実施例では、チャンネル底部２２及び支持層２４間、支持層２４及び吸湿層２５間、吸湿層２５及びシート層２６間は両面テープによって夫々接着されているが、これに限定されるものではなく、融着によって接着されていてもよく、また、接着されていなくてもよい。
【００４６】
本実施の形態では、シート層２６は水を透過するのみであるが、これに限定されるものではなく、例えば、板ガラス保持部材の外側方向への水の通過は許容するが、板ガラス保持部材の内側方向への水の通過は禁止する一方向性シート等であってもよい。
【００４７】
【発明の効果】
以上詳細に説明したように、請求項１記載のセッティングブロックによれば、水を吸湿する吸湿層を備えるので、複層ガラス保持部材から排水された水が吸湿層が飽和状態になるまで吸湿層内に吸湿されることにより、板ガラス保持部材の外側方向への水の排水性を向上させ、その結果、板ガラス体本体の二次シール材の下面近傍に水の滞留を防止することができ、もって二次シール材の劣化を防止することができる。
【００４８】
請求項２記載の板ガラス支持枠用セッティングブロックによれば、吸湿層を支持する支持層をさらに備えるので、複層ガラス本体を安定して支持することができる。
【００４９】
請求項３記載の板ガラス支持枠用セッティングブロックによれば、水を透過する多孔質から成るシート層を備えるので、吸湿層への水の排水性を向上させ、板ガラス保持部材の外側方向への水の排水性を向上させて、その結果、板ガラス体本体の二次シール材の下面近傍に水の滞留を防止することができ、もって二次シール材の劣化を防止することができる。
【００５０】
請求項４記載の板ガラス支持枠用セッティングブロックによれば、水を吸湿する吸湿層と、前記吸湿層の上に形成されたシート層とを備えるので、吸湿層への水の排水性を向上させることができ、さらに、この排水された水は吸湿層が飽和状態になるまで吸湿層内に吸湿されるので、シート層からの水の排水を促進し、その結果、二次シール材の下面近傍に水が滞留するのを防止することができ、もって二次シール材の劣化を防止することができる。
【００５１】
請求項５記載のセッティングブロックによれば、一方向性シート層が板ガラス保持部材の外側方向への水の通過は許容するが、板ガラス保持部材の内側方向への水の通過を禁止するので、板ガラス保持部材の外側方向への水の排水性を向上させて、その結果、板ガラス体本体の二次シール材の下面近傍に水の滞留を防止することができ、もって二次シール材の劣化を防止することができる。
【００５２】
請求項６記載のセッティングブロックによれば、シート層を支持する支持層をさらに備えるので、複層ガラス本体を安定して支持することができる。
【図面の簡単な説明】
【図１】本発明の実施の形態に係る板ガラス支持枠用セッティングブロックを備える板ガラス体の断面図である。
【図２】図１の板ガラス支持枠用セッティングブロック２３を備える板ガラス体の部分断面図である。
【図３】図２におけるセッティングブロック２３の断面図である。
【図４】従来の板ガラス支持枠用セッティングブロックを備える板ガラス体の部分断面図である。
【符号の説明】
１  板ガラス体
１０  複層ガラス本体
２０  複層ガラス体用サッシ
２１  複層ガラス体用サッシ本体
２２  チャンネル底部
２３  セッティングブロック
２４  支持層
２５  吸湿層
２６  シート層
３０  複層ガラス保持部材
３２  硬質部材
３１  軟質部材
３３  溝
３５  水抜き孔
３７  シール片部
３８  弾性張出係止部
３６  挟持片部
【図１】
2004308281.tif 000003
【図２】
2004308281.tif 000004
【図３】
2004308281.tif 000005
【図４】
2004308281.tif 000006